(57)【要約】【課題】  企業構内における秘密漏洩防止のため、カメラ付き携帯電話端末のカメラの使用を自動的に禁止する。【解決手段】  入退場管理装置１は、所定の場所への入退場者を感知し、この入退場者の所持するカメラ付きの携帯電話端末６に対し、カメラ動作を制御する動作制御情報を含むメールをメールサーバ３を介し送信し、当該カメラの動作許可・非許可を入退場に応じて指示する。携帯電話端末６は、受信メールからメッセージ部分を取り出し自携帯電話端末のメッセージ格納領域に保存すると共に、このメッセージ部分から動作制御情報を抽出し自端末のカメラ動作制御情報格納領域に保存する。ユーザのカメラ機能操作を検出したとき、このカメラ動作制御情報格納領域に保存された動作制御情報に基づいて当該カメラの動作許可・非許可を制御する。【選択図】      図１
2005064669.tif 000002
【特許請求の範囲】
【請求項１】
メール送受信機能及びカメラを有する携帯電話端末であって、受信したメールを解析し前記カメラの動作を制御するための動作制御情報の有無を検出しこの動作制御情報が存在する場合には、前記動作制御情報に基づいて前記カメラの動作許可・非許可を決定する制御手段を備えることを特徴とする携帯電話端末。
【請求項２】
前記制御手段は、受信メールからメッセージ部分を取り出し自携帯電話端末のメッセージ格納領域に保存すると共にこのメッセージ部分から前記動作制御情報を抽出し自携帯電話端末のカメラ動作制御情報格納領域に保存するメッセージ判断手段と、ユーザのカメラ機能操作を検出し前記カメラ動作制御情報格納領域に保存された前記動作制御情報に基づいて前記カメラの動作許可・非許可を制御するカメラ機能制御手段とを備えることを特徴とする請求項１記載の携帯電話端末。
【請求項３】
所定の場所への入退場者を感知しこの入退場者の所持するカメラ付き携帯電話端末に対し前記カメラの動作を制御する動作制御情報を含むメールを送信し前記カメラの動作許可・非許可を指示する制御手段を備えることを特徴とする入退場管理装置。
【請求項４】
メール送受信機能を有し受信メールのメッセージを保存しておくためのメッセージ格納部と、カメラとを備える携帯電話端末であって、前記カメラの動作制御情報を保存しておくためのカメラ動作制御情報格納部と、基地局を介し受信した無線信号の中のメッセージを取り出し前記メッセージ格納部に保存すると共にこのメッセージから前記動作制御情報を抽出し前記カメラ動作制御情報格納部に保存するメッセージ解析部と、前記カメラがユーザにより操作されたことを検出するカメラ操作検出部と、前記カメラ操作検出部がユーザ操作を検出したとき前記動作制御情報に基づいて前記カメラの動作許可・非許可を制御するカメラ動作制御部とを備えることを特徴とする携帯電話端末。
【請求項５】
カードに記憶された個人情報を読み取り入退場管理を行う入退場管理装置であって、入退場時に前記カードから入退場者を感知しその個人情報及び入退場種別を読み取る入退場者感知部と、前記入退場者感知部で読み取った個人情報から入退場者を特定する入退場者特定部と、前記入退場種別に対応して入場のときにはカメラ付き携帯電話端末のカメラの動作を非許可する制御情報を生成し退場のときには前記カメラの動作を許可する制御情報を生成する動作制御情報生成部と、前記入退場者特定部により特定された個人名に対応するメールアドレスを予め登録したデータベースから抽出するメールアドレス抽出部と、前記動作制御情報生成部で生成した制御情報を付加し前記メールアドレス抽出部が抽出したアドレス宛にメッセージを送信するメール送信部とを備えることを特徴とする入退場管理装置。
【請求項６】
請求項１，２及び４いずれか１項に記載の携帯電話端末と、請求項３または５に記載の入退場管理装置とを備えることを特徴とする入退場管理システム。
【請求項７】
前記入退場者感知部は、所定の場所に設置し入退場時間を管理する勤務時間管理装置であることを特徴とする請求項６記載の入退場管理装置。
【請求項８】
カメラ付きの携帯電話端末のカメラ動作を遠隔から制御する携帯電話端末のカメラ動作制御方法であって、前記携帯電話端末の所持者の入退場時にこの入退場者の個人情報を読み取り、この入退場者を特定し、入退場に応じ前記カメラの動作許可・非許可を制御するための動作制御情報を生成すると共に前記特定した入退場者に対応するメールアドレスを予め登録したデータベースから求め、生成した動作制御情報を付加したメッセージを前記メールアドレスへ送信することを特徴とする携帯電話端末のカメラ動作制御方法。
【請求項９】
前記個人情報は、入退場時の社員証あるいはタイムカードから得ることを特徴とする請求項８記載の携帯電話端末のカメラ動作制御方法。
【請求項１０】
カメラ付きの携帯電話端末のカメラ動作を遠隔から制御する携帯電話端末のカメラ動作制御方法であって、前記カメラの動作許可・非許可を制御するためのカメラ動作制御情報を含むメールを受信し、この受信したメールのメッセージをメモリに保存し、当該のメッセージを解析しこの中から前記カメラ動作制御情報を抽出してメモリに保存しておき、ユーザによりカメラ使用操作が行われたことを検出したとき、当該の前記カメラ動作制御情報を参照しこのカメラ動作制御情報がカメラの動作許可を示す場合にはカメラを起動し、このカメラ動作制御情報がカメラの動作非許可を示す場合にはカメラを非起動することを特徴とする携帯電話端末のカメラ動作制御方法。
【請求項１１】
請求項８において、請求項１０記載の携帯電話端末のカメラ動作制御方法を行うことを特徴とする携帯電話端末のカメラ動作制御方法。
【請求項１２】
カメラ付きの携帯電話端末におけるカメラ動作の遠隔制御をコンピュータに実行させるためのプログラムであって、前記携帯電話端末の所持者の入退場時にこの入退場者の個人情報を読み取る処理と、この入退場者を特定する処理と、入退場に応じ前記カメラの動作許可・非許可を制御するための動作制御情報を生成すると共に前記特定した入退場者に対応するメールアドレスを予め登録したデータベースから求める処理と、生成した動作制御情報を付加したメッセージを前記メールアドレスへ送信する処理とをコンピュータに実行させるためのプログラム。
【請求項１３】
カメラ付きの携帯電話端末におけるカメラ動作の遠隔制御をコンピュータに実行させるためのプログラムであって、前記カメラの動作許可・非許可を制御するためのカメラ動作制御情報を含むメールを受信する処理と、この受信したメールのメッセージをメモリに保存する処理と、当該のメッセージを解析しこの中から前記カメラ動作制御情報を抽出してメモリに保存する処理と、ユーザによりカメラ使用操作が行われたことを検出する処理と、当該の前記カメラ動作制御情報を参照しこのカメラ動作制御情報がカメラの動作許可を示す場合にはカメラを起動する処理と、このカメラ動作制御情報がカメラの動作非許可を示す場合にはカメラを非起動する処理とをコンピュータに実行させるためのプログラム。
【発明の詳細な説明】
【技術分野】
【０００１】
本発明は、カメラ付きの携帯電話端末，入退場管理装置及びシステムに関し、特に構内におけるカメラ付き携帯電話端末のカメラ動作を禁止させる制御機能に関する。
【背景技術】
【０００２】
近年、携帯電話端末はカメラ付きが一般的になってきているが、企業秘密の保持を理由に、このカメラ付き携帯電話端末の構内への持ち込みを禁止する企業が増えてきている。これに関連する技術として、工場等の施設の入退場許可判定を行うシステムがある。このシステムでは、基地局によりカバーされる移動体通信サービスエリア内に移動体通信端末，施設が存在し、この施設の出入口近傍に設置された入退場管理手段と出入口を通過しようとする移動体通信端末との間で通信を行うことにより、移動体通信端末の所持者の施設への入退場管理を行っている（例えば、特許文献１参照）。
【０００３】
また、他の例として、遠隔監視モニタとして使用可能な携帯電話機があり、この携帯電話機には、通信中における外部からの特定操作に応答して通信相手側の各種機能を制御するための制御データ，例としてデジタルカメラによる撮影に対する制御データを送信する手段を備えている（例えば、特許文献２参照）。
【０００４】
【特許文献１】特開２００２−２８８７０５号公報（請求項１、段落番号００２０〜００２６）
【０００５】
【特許文献２】特開２００２−０５７８０８号公報（請求項４、段落番号００３６〜００３７）
【発明の開示】
【発明が解決しようとする課題】
【０００６】
上述したように、近年発売される携帯電話端末のほとんどは、カメラ付きであり、秘密保持の観点から企業が求める携帯電話端末と市場にある携帯電話端末とのギャップをなくすことが要求されている。また合わせてカメラ機能禁止に係わる使い勝手の良さも求められている。
【０００７】
本発明の目的は、企業構内における秘密漏洩防止のため、カメラ付き携帯電話端末のカメラの使用を自動的に禁止することが可能な携帯電話端末，入退場管理装置及びシステム，携帯電話端末のカメラ動作制御方法並びにプログラムを提供することにある。
【課題を解決するための手段】
【０００８】
請求項１に記載の本発明は、メール送受信機能及びカメラを有する携帯電話端末であって、受信したメールを解析し前記カメラの動作を制御するための動作制御情報の有無を検出しこの動作制御情報が存在する場合には、前記動作制御情報に基づいて前記カメラの動作許可・非許可を決定する制御手段を備える。
【０００９】
請求項２に記載の本発明は、請求項１において、前記制御手段は、受信メールからメッセージ部分を取り出し自携帯電話端末のメッセージ格納領域に保存すると共にこのメッセージ部分から前記動作制御情報を抽出し自携帯電話端末のカメラ動作制御情報格納領域に保存するメッセージ判断手段と、ユーザのカメラ機能操作を検出し前記カメラ動作制御情報格納領域に保存された前記動作制御情報に基づいて前記カメラの動作許可・非許可を制御するカメラ機能制御手段とを備える。
【００１０】
請求項３に記載の本発明は、所定の場所への入退場者を感知しこの入退場者の所持するカメラ付き携帯電話端末に対し前記カメラの動作を制御する動作制御情報を含むメールを送信し前記カメラの動作許可・非許可を指示する制御手段を備える。
【００１１】
請求項４に記載の本発明は、メール送受信機能を有し受信メールのメッセージを保存しておくためのメッセージ格納部と、カメラとを備える携帯電話端末であって、前記カメラの動作制御情報を保存しておくためのカメラ動作制御情報格納部と、基地局を介し受信した無線信号の中のメッセージを取り出し前記メッセージ格納部に保存すると共にこのメッセージから前記動作制御情報を抽出し前記カメラ動作制御情報格納部に保存するメッセージ解析部と、前記カメラがユーザにより操作されたことを検出するカメラ操作検出部と、前記カメラ操作検出部がユーザ操作を検出したとき前記動作制御情報に基づいて前記カメラの動作許可・非許可を制御するカメラ動作制御部とを備える。
【００１２】
請求項５に記載の本発明は、カードに記憶された個人情報を読み取り入退場管理を行う入退場管理装置であって、入退場時に前記カードから入退場者を感知しその個人情報及び入退場種別を読み取る入退場者感知部と、前記入退場者感知部で読み取った個人情報から入退場者を特定する入退場者特定部と、前記入退場種別に対応して入場のときにはカメラ付き携帯電話端末のカメラの動作を非許可する制御情報を生成し退場のときには前記カメラの動作を許可する制御情報を生成する動作制御情報生成部と、前記入退場者特定部により特定された個人名に対応するメールアドレスを予め登録したデータベースから抽出するメールアドレス抽出部と、前記動作制御情報生成部で生成した制御情報を付加し前記メールアドレス抽出部が抽出したアドレス宛にメッセージを送信するメール送信部とを備える。
【００１３】
請求項６に記載の本発明は、請求項１，２及び４いずれか１項に記載の携帯電話端末と、請求項３または５に記載の入退場管理装置とを備える。
【００１４】
請求項７に記載の本発明は、請求項６において、前記入退場者感知部は、所定の場所に設置し入退場時間を管理する勤務時間管理装置である。
【００１５】
請求項８に記載の本発明は、カメラ付きの携帯電話端末のカメラ動作を遠隔から制御する携帯電話端末のカメラ動作制御方法であって、前記携帯電話端末の所持者の入退場時にこの入退場者の個人情報を読み取り、この入退場者を特定し、入退場に応じ前記カメラの動作許可・非許可を制御するための動作制御情報を生成すると共に前記特定した入退場者に対応するメールアドレスを予め登録したデータベースから求め、生成した動作制御情報を付加したメッセージを前記メールアドレスへ送信する。
【００１６】
請求項９に記載の本発明は、請求項８において、前記個人情報は、入退場時の社員証あるいはタイムカードから得る。
【００１７】
請求項１０に記載の本発明は、カメラ付きの携帯電話端末のカメラ動作を遠隔から制御する携帯電話端末のカメラ動作制御方法であって、前記カメラの動作許可・非許可を制御するためのカメラ動作制御情報を含むメールを受信し、この受信したメールのメッセージをメモリに保存し、当該のメッセージを解析しこの中から前記カメラ動作制御情報を抽出してメモリに保存しておき、ユーザによりカメラ使用操作が行われたことを検出したとき、当該の前記カメラ動作制御情報を参照しこのカメラ動作制御情報がカメラの動作許可を示す場合にはカメラを起動し、このカメラ動作制御情報がカメラの動作非許可を示す場合にはカメラを非起動する。
【００１８】
請求項１１に記載の本発明は、請求項８において、請求項１０記載の携帯電話端末のカメラ動作制御方法を行うことを特徴とする携帯電話端末のカメラ動作制御方法。
【００１９】
請求項１２に記載の本発明は、カメラ付きの携帯電話端末におけるカメラ動作の遠隔制御をコンピュータに実行させるためのプログラムであって、前記携帯電話端末の所持者の入退場時にこの入退場者の個人情報を読み取る処理と、この入退場者を特定する処理と、入退場に応じ前記カメラの動作許可・非許可を制御するための動作制御情報を生成すると共に前記特定した入退場者に対応するメールアドレスを予め登録したデータベースから求める処理と、生成した動作制御情報を付加したメッセージを前記メールアドレスへ送信する処理とをコンピュータに実行させる。
【００２０】
請求項１３に記載の本発明は、カメラ付きの携帯電話端末におけるカメラ動作の遠隔制御をコンピュータに実行させるためのプログラムであって、前記カメラの動作許可・非許可を制御するためのカメラ動作制御情報を含むメールを受信する処理と、この受信したメールのメッセージをメモリに保存する処理と、当該のメッセージを解析しこの中から前記カメラ動作制御情報を抽出してメモリに保存する処理と、ユーザによりカメラ使用操作が行われたことを検出する処理と、当該の前記カメラ動作制御情報を参照しこのカメラ動作制御情報がカメラの動作許可を示す場合にはカメラを起動する処理と、このカメラ動作制御情報がカメラの動作非許可を示す場合にはカメラを非起動する処理とをコンピュータに実行させる。
【００２１】
本発明によれば、カメラ付き携帯電話端末所持者の企業構内への入場を感知して、このカメラ動作を非許可とする制御情報を含むメッセージを当該の携帯電話端末へ通知することによって、携帯電話端末のカメラ動作を禁止させることができる。
【発明の効果】
【００２２】
本発明による第１の効果は、構内でのカメラ付き携帯電話端末のカメラ動作を許可・非許可するのに、特別のハードウェアが不要であるということである。そのため携帯電話端末のコストアップにならない。また、第２の効果は、現行のシステムを大きく変更する必要がない。すなわち、基地局と携帯電話端末にはハードウェアの変更は必要なく、携帯電話端末側のソフトウェアの変更だけで対応できる。そのため、現在発売されている携帯電話端末でも、容易に対応することができる。
【発明を実施するための最良の形態】
【００２３】
次に、本発明を実施するための最良の形態について図面を参照して詳細に説明する。図１を参照すると、カードに記憶された個人情報を読み取り入退場管理を行う入退場管理装置１と、この入退場管理装置１からネットワーク２を介しメールを受信するメールサーバ３と、メールサーバ３にネットワーク４を介し接続される基地局５と、入退場管理装置１と同一構内に存在し基地局５と無線回線により接続されメール受信機能及びカメラを有する携帯電話端末６と、入退場管理装置１に接続され入退場者の個人情報を予め格納しておくデータベース７とを備える入退場管理システムが示されている。入退場管理装置１とデータベース７とは通常同一構内に設けられるが、データベース７を別のセンター側に設置する構成としてもよい。
【００２４】
図２は本発明の入退場管理装置における実施の形態を示すブロック図である。図２を参照すると、入退場管理装置１は、入退場者感知部１１と、入退場者特定部１２と、動作制御情報生成部１３と、メールアドレス抽出部１４と、メール送信部１５とを備える。入退場者感知部１１は、入退場時に所持しているカードから入退場者を感知しその個人情報及び入退場種別を読み取る。入退場者特定部１２は入退場者感知部１１で読み取った個人情報から入退場者を特定する。動作制御情報生成部１３は、入退場種別に対応して入場のときにはカメラ付き携帯電話端末のカメラの動作を非許可する制御情報を生成し退場のときにはカメラの動作を許可する制御情報を生成する。メールアドレス抽出部１４は、入退場者特定部１２により特定された個人名に対応するメールアドレスを予め登録したデータベース７から抽出する。メール送信部１５は、動作制御情報生成部１３で生成した制御情報を付加しメールアドレス抽出部１４が抽出したアドレス宛にメッセージを送信する。入退場者感知部１１は、例えば、入退場時の社員証の読取データや、タイムカードリーダのような勤務時間管理情報を読み取る手段である。
【００２５】
図３は本発明の携帯電話端末における実施の形態を示すブロック図である。図３を参照すると、メール送受信機能及びカメラ機能を有する携帯電話端末６は、無線信号の送受信を行う送受信部６１と、コンピュータに相当しプログラムに基づいて携帯電話端末各部を制御する中央制御部６２と、情報を格納しておくメモリ６３と、入力操作のための操作部６４と、カメラ６５とを備える。中央制御部６２は、メッセージ解析部６２１と、カメラ操作検出部６２２と、カメラ動作制御部６２３とを備える。なお、この中央制御部６２においては、本発明に係わる機能部分を明示しており、他の一般的な機能部分は図示及び説明を省略する。メモリ６３は、メッセージ格納部６３１と、カメラ動作制御情報格納部６３２とを備え、メッセージ格納部６３１は受信メールのメッセージを保存しておき、カメラ動作制御情報格納部６３２はカメラ動作を制御するための制御情報を保存しておく。メッセージ解析部６２１は、基地局を介し受信した無線信号の中のメッセージを取り出しメッセージ格納部６３１に保存すると共にこのメッセージからカメラの動作制御情報を抽出しカメラ動作制御情報格納部６３２に保存する。カメラ操作検出部６２２はカメラ６５がユーザにより操作されたことを検出する。カメラ動作制御部６２３は、カメラ操作検出部６２２がユーザ操作を検出したときカメラ動作制御情報格納部６３２から読み出した動作制御情報に基づいてカメラの動作許可・非許可を制御する。
【００２６】
次に、本発明を実施するための最良の形態の動作について図面を参照して説明する。以下、図２及び図４を参照して入退場管理装置における入退場時の動作について説明する。カメラ付き携帯電話端末の所持者が所定の場所を通り構内に入るまたは出るとき、タイムカードリーダのような勤務時間管理情報を読み取る手段（図２の入退場者感知部１１）により、入退場者を感知する（ステップ４１：Ｓ４１と略称、以下同様）。この入退場時に読み取った個人情報に基づき入退場者を図２の入退場者特定部１２により特定し（Ｓ４２）、この特定後に入退場に応じたカメラ動作制御情報、すなわち、入場の場合にはカメラ動作を非許可とする情報を動作制御情報生成部１３により生成し、退場の場合にはカメラ動作を許可する情報を生成する（Ｓ４３）。同時に当該入退場者のメールアドレスをメールアドレス抽出部１４によりデータベースから抽出する（Ｓ４４）。次に、このメールアドレス宛にカメラ動作非許可あるいは許可を示す制御情報を付加しメールとして、カードリーダを読み取った当該の人へメール送信部１５から送信する（Ｓ４５）。なお、上述した個人情報は入退場時の社員証の読取データを用いてもよい。
【００２７】
次に、図３及び図５を参照して携帯電話端末における動作について説明する。携帯電話端末側は、図３の送受信部６１を経由して、カメラ動作制御情報を含むメールを受信する（Ｓ５１）。受信したメールは、メッセージ解析部６２１がメモリ６３のメッセージ格納部６３１へメッセージとして保存される（Ｓ５２）。保存されたメッセージは、メッセージ解析部６２１によってメッセージを解析してカメラ動作制御情報を抽出し（Ｓ５３）、カメラ動作制御情報格納部６３２に保存する（Ｓ５４）。
【００２８】
ここで、ユーザが携帯電話端末のカメラを使おうとした場合、カメラ操作検出部６２２がこれを検出しカメラ動作制御部６２３に通知すると（Ｓ５５）、カメラ動作制御部６２３は、メモリ６３のカメラ動作制御情報格納部６３２に保存してあるカメラ動作制御情報を読み出し、動作非許可、つまり禁止になっていた場合には、カメラ６５を起動しない（Ｓ６８）。一方、退場時には、入場時と同様方法により読み取られた情報を付加してカードリーダを読み取った人へメール送信する。受信したメールは、メッセージ解析部６２１によってメッセージを解析し、カメラ動作を許可する情報としてカメラ動作制御情報格納部６３２に保存する。これによって、ユーザがカメラを使おうとした場合、カメラ動作制御部６２３は、メモリ６３のカメラ動作制御情報格納部６３２に保存してあるカメラ動作制御情報を読み出し、この場合カメラ動作許可情報を読み出し、カメラ６５を起動する（Ｓ５７）。
【図面の簡単な説明】
【００２９】
【図１】本発明の実施の形態における入退場管理システムを説明するための図である。
【図２】本発明の実施の形態における入退場管理装置を示すブロック図である。
【図３】本発明の携帯電話端末を示すブロック図である。
【図４】本発明の実施の形態における携帯電話端末のカメラ動作制御手順を示すフローチャートである。
【図５】本発明の実施の形態における携帯電話端末のカメラ動作制御手順を示すフローチャートである。
【符号の説明】
【００３０】
１    入退場管理装置
２，４    ネットワーク
３    メールサーバ
５    基地局
６    携帯電話端末
７    データベース
１１    入退場者感知部
１２    入退場者特定部
１３    動作制御情報生成部
１４    メールアドレス抽出部
１５    メール送信部
６１    送受信部
６２    中央制御部
６３    メモリ
６４    操作部
６５    カメラ
６２１    メッセージ解析部
６２２    カメラ操作検出部
６２３    カメラ動作制御部
６３１    メッセージ格納部
６３２    カメラ動作制御情報格納部
【図１】
2005064669.tif 000003
【図２】
2005064669.tif 000004
【図３】
2005064669.tif 000005
【図４】
2005064669.tif 000006
【図５】
2005064669.tif 000007